(57)【特許請求の範囲】
【請求項１】
基板表面にレジストが塗布されて、露光処理がされた基板を現像する現像装置において、
前記基板を水平に保持する基板保持部と、
基板の有効領域の幅とほぼ同じかそれ以上の長さに亘って吐出口が形成された現像液の供給ノズルと、
この供給ノズルから現像液を吐出させながら、当該供給ノズルを前記吐出口の先端面が基板上の現像液と接触した状態で、前記基板の一端側から他端側に亘って移動させる移動機構と、を備え、
前記吐出口は、供給ノズルの長さ方向に形成された第１の吐出口と、この第１の吐出口に対してノズルの進行方向に対して後方側に並列に形成され、基板に吐出された現像液が第１の吐出口から基板に吐出された現像液と互いに干渉し合うことで攪拌されるように設定された第２の吐出口と、を備え、
さらに第１の吐出口と第２の吐出口との間に現像液の液面に気体を供給するための気体を供給する給気孔を備えたことを特徴とする現像装置。
【請求項２】
基板表面にレジストが塗布されて、露光処理がされた基板を現像する現像装置において、
前記基板を水平に保持する基板保持部と、
基板の有効領域の幅とほぼ同じかそれ以上の長さに亘って吐出口が形成された現像液の供給ノズルと、
この供給ノズルから現像液を吐出させながら、当該供給ノズルを前記吐出口の先端面が基板上の現像液と接触した状態で、前記基板の一端側から他端側に亘って移動させる移動機構と、を備え、
前記供給ノズルは、当該供給ノズルの長さ方向に形成された第１の下面と、ノズルの進行方向に対して、第１の下面の後方側に、前記第１の下面と並列に且つ段部を介してその第１の下面よりも低い位置に形成された第２の下面と、を備え、
前記吐出口は、その先端面が第１の下面に設けられた第１の吐出口と、その先端面が第２の下面に設けられた第２の吐出口と、を備えたことを特徴とする現像装置。
【請求項３】
基板表面にレジストが塗布されて、露光処理がされた基板を現像する現像装置において、
前記基板を水平に保持する基板保持部と、
基板の有効領域の幅とほぼ同じかそれ以上の長さに亘って吐出口が形成された現像液の供給ノズルと、
この供給ノズルから現像液を吐出させながら、当該供給ノズルを前記吐出口の先端面が基板上の現像液と接触した状態で、前記基板の一端側から他端側に亘って移動させる移動機構と、を備え、
前記吐出口は、供給ノズルの長さ方向に形成された第１の吐出口と、この第１の吐出口に対してノズルの進行方向に対して後方側に並列に形成された第２の吐出口と、を備え、
前記供給ノズルは、第１の吐出口と第２の吐出口との間に現像液の液面に気体を供給するための気体を供給する給気孔を備えたことを特徴とする現像装置。
【請求項４】
基板表面にレジストが塗布されて、露光処理がされた基板を現像する現像装置において、
前記基板を水平に保持する基板保持部と、
基板の有効領域の幅とほぼ同じかそれ以上の長さに亘って吐出口が形成された現像液の供給ノズルと、
この供給ノズルから現像液を吐出させながら、当該供給ノズルを前記吐出口の先端面が基板上の現像液と接触した状態で、前記基板の一端側から他端側に亘って移動させる移動機構と、を備え、
前記吐出口は、ノズルの長さ方向に形成された第１の吐出口と、この第１の吐出口に対してノズルの進行方向に対して後方側に並列に形成された第２の吐出口と、第１、第２の吐出口から吐出される現像液流量を夫々独立して調節する流量調節手段と、を備え、
前記供給ノズルは、第１の吐出口と第２の吐出口との間に現像液の液面に気体を供給するための気体を供給する給気孔を備えたことを特徴とする現像装置。
【請求項５】
基板表面にレジストが塗布されて、露光処理がされた基板を現像する現像装置において、
前記基板を水平に保持する基板保持部と、
基板の有効領域の幅とほぼ同じかそれ以上の長さに亘って吐出口が形成された現像液の供給ノズルと、
この供給ノズルから現像液を吐出させながら、当該供給ノズルを前記吐出口の先端面が基板上の現像液と接触した状態で、前記基板の一端側から他端側に亘って移動させる移動機構と、を備え、
前記吐出口は、ノズルの長さ方向に形成された第１の吐出口と、この第１の吐出口に対してノズルの進行方向に対して後方側に並列に形成され、第１の吐出口の先端面の開口面積とその先端面の開口面積とが異なるように設定された第２の吐出口と、を備え、
前記供給ノズルは、第１の吐出口と第２の吐出口との間に現像液の液面に気体を供給するための気体を供給する給気孔を備えたことを特徴とする現像装置。
【請求項６】
前記供給ノズルは、第１の吐出口と第２の吐出口との間に現像液の液面に気体を供給するための気体を供給する給気孔を備えたことを特徴とする請求項２記載の現像装置。
【請求項７】
第１、第２の吐出口から吐出される現像液流量を夫々独立して調節する流量調節手段、を備えたことを特徴とする請求項１記載の現像装置。
【請求項８】
第２の吐出口の吐出方向と、第１の吐出口の吐出方向とが前後に寄り合うように設定されていることを特徴とする請求項１記載の現像装置。
【請求項９】
基板表面にレジストが塗布されて、露光処理がされた基板を現像する方法において、
前記基板を水平に保持するための基板保持部に搬入する工程と、
次いで基板の有効領域の幅とほぼ同じかそれ以上の長さに亘って吐出口が形成された現像液の供給ノズルを、この供給ノズルから現像液を吐出させながら、前記吐出口の先端面が基板上の現像液と接触した状態で、前記基板の一端側から他端側に亘って移動させる工程と、
この供給ノズルに設けた第１の吐出口から現像液を吐出する工程と、
この第１の吐出口に対してノズルの進行方向に対して後方側に並列に形成された第２の吐出口から現像液を基板に吐出する工程と、
第１の吐出口と第２の吐出口との間に設けられた給気口から現像液の液面に気体を供給する工程と、を含み、
第１の吐出口から基板に吐出された現像液と、第２の吐出口から基板に吐出された現像液とが互いに干渉し合うことで攪拌されることを特徴とする現像方法。
【発明の詳細な説明】
【０００１】
【発明の属する技術分野】
本発明は、レジストが塗布され、露光処理が施された基板の表面に現像液を供給して現像処理を行う現像装置及び現像方法に関する。
【０００２】
【従来の技術】
従来、半導体製造工程の一つであるフォトレジスト工程においては、半導体ウェハ（以下ウェハＷという）表面に形成された薄膜状にレジストを塗布し、レジストを所定のパターンで露光し、現像してマスクパターンを形成している。このような処理は、一般にレジストの塗布・現像を行う塗布・現像装置に、露光装置を接続したシステムを用いて行われる。
【０００３】
露光後のウェハに対して、現像処理を行う手法の一つとして、図１５に示すようにウェハＷの直径に見合う長さに亘って吐出口が形成されたノズルＮを用い、このノズルＮを、例えばスピンチャックに水平に保持されたウェハＷの表面に対して、例えば１ｍｍ程度浮かせた状態でウェハＷの一端側から他端側に移動させながら、ノズルＮの吐出口からウェハＷ表面に現像液を供給し、ウェハＷ表面全体に現像液を液盛する方法が検討されている。
【０００４】
【発明が解決しようとする課題】
しかしながら、上述した手法では、以下の様な課題がある。即ち、現像液に対する溶解速度が速い種類のレジストが塗布されたウェハＷ表面に現像液を液盛する場合、ウェハＷ全体の液盛を終える前に、既に液盛された部位においてレジストの溶解成分の影響により、レジストの不溶解性部位の溶解が進行し、先に液盛された部位においては、後に液盛された部位よりも本来パターンとなるべき不溶解性部位の溶解が進んでしまうおそれがある。また複雑なマスクパターンを形成するウェハ表面においては、単位面積あたりで見ると密なパターンを形成する部位と、疎なパターンを形成する部位とがあるが、パターンが密な部位は溶解成分が濃縮化し易く、またパターンが疎な部位は溶解成分が拡散するので薄まった状態にある。このためパターン密度に応じてパターンとなるべき不溶解性部位の溶解の程度に差が生じてしまうおそれがあり、このようなパターン密度の差と、液盛のタイミングの差とが相俟って、ウェハＷ表面全体におけるパターンの線幅の均一性が低下する懸念がある。
【０００５】
ここで現像液中の溶解成分の濃度分布が生じるのを抑えるための方法の一つとしては、液盛した後にスピンチャックを瞬間的に回転して、ウェハＷを周方向に回転させることにより、回転を止めた後の現像液に慣性力の作用で周方向に向かう流れが形成され、この流れの撹拌作用により、現像液濃度を均一にする方法があるが、液盛を終える前に溶解が進行する溶解速度の速いレジストを用いている場合は、液盛の最中に既に現像液の濃度分布が生じてしまっているので、液盛後に行うこの方法では対応できない。
【０００６】
本発明はそのような事情に基づいてなされたものであり、レジストが表面に塗布され、露光処理が施された基板に対して均一性の高い現像を行うことができる技術を提供することにある。
【０００７】
【課題を解決するための手段】
本発明の現像装置は、基板表面にレジストが塗布されて、露光処理がされた基板を現像する現像装置において、
前記基板を水平に保持する基板保持部と、
基板の有効領域の幅とほぼ同じかそれ以上の長さに亘って吐出口が形成された現像液の供給ノズルと、
この供給ノズルから現像液を吐出させながら、当該供給ノズルを前記吐出口の先端面が基板上の現像液と接触した状態で、前記基板の一端側から他端側に亘って移動させる移動機構と、を備え、
前記吐出口は、供給ノズルの長さ方向に形成された第１の吐出口と、この第１の吐出口に対してノズルの進行方向に対して後方側に並列に形成され、基板に吐出された現像液が第１の吐出口から基板に吐出された現像液と互いに干渉し合うことで攪拌されるように設定された第２の吐出口と、を備え、
さらに第１の吐出口と第２の吐出口との間に現像液の液面に気体を供給するための気体を供給する給気孔を備えたことを特徴とする。
【０００８】
他の発明の現像装置は、基板表面にレジストが塗布されて、露光処理がされた基板を現像する現像装置において、
前記基板を水平に保持する基板保持部と、
基板の有効領域の幅とほぼ同じかそれ以上の長さに亘って吐出口が形成された現像液の供給ノズルと、
この供給ノズルから現像液を吐出させながら、当該供給ノズルを前記吐出口の先端面が基板上の現像液と接触した状態で、前記基板の一端側から他端側に亘って移動させる移動機構と、を備え、
前記供給ノズルは、当該供給ノズルの長さ方向に形成された第１の下面と、ノズルの進行方向に対して、第１の下面の後方側に、前記第１の下面と並列に且つ段部を介してその第１の下面よりも低い位置に形成された第２の下面と、を備え、
前記吐出口は、その先端面が第１の下面に設けられた第１の吐出口と、その先端面が第２の下面に設けられた第２の吐出口と、を備えたことを特徴とする。
【０００９】
更に他の発明の現像装置は、基板表面にレジストが塗布されて、露光処理がされた基板を現像する現像装置において、
前記基板を水平に保持する基板保持部と、
基板の有効領域の幅とほぼ同じかそれ以上の長さに亘って吐出口が形成された現像液の供給ノズルと、
この供給ノズルから現像液を吐出させながら、当該供給ノズルを前記吐出口の先端面が基板上の現像液と接触した状態で、前記基板の一端側から他端側に亘って移動させる移動機構と、を備え、
前記吐出口は、供給ノズルの長さ方向に形成された第１の吐出口と、この第１の吐出口に対してノズルの進行方向に対して後方側に並列に形成された第２の吐出口と、を備え、
前記供給ノズルは、第１の吐出口と第２の吐出口との間に現像液の液面に気体を供給するための気体を供給する給気孔を備えたことを特徴とする。
更にまた他の発明の現像装置は、基板表面にレジストが塗布されて、露光処理がされた基板を現像する現像装置において、
前記基板を水平に保持する基板保持部と、
基板の有効領域の幅とほぼ同じかそれ以上の長さに亘って吐出口が形成された現像液の供給ノズルと、
この供給ノズルから現像液を吐出させながら、当該供給ノズルを前記吐出口の先端面が基板上の現像液と接触した状態で、前記基板の一端側から他端側に亘って移動させる移動機構と、を備え、
前記吐出口は、ノズルの長さ方向に形成された第１の吐出口と、この第１の吐出口に対してノズルの進行方向に対して後方側に並列に形成され、第１の吐出口の先端面の開口面積とその先端面の開口面積とが異なるように設定された第２の吐出口と、を備え、
前記供給ノズルは、第１の吐出口と第２の吐出口との間に現像液の液面に気体を供給するための気体を供給する給気孔を備えたことを特徴とする。
【００１０】
本発明によれば、第１の吐出口及び第２の吐出口から例えば現像液の吐出方向が互いに寄り合いながらノズルが移動するので、双方の吐出口から吐出された現像液が互いに強く干渉されて攪拌されながら液盛りが行われる。従って現像液によりすぐに溶解されるレジストを用いても、現像液中に溶けだした溶解成分が薄められるので、基板表面全体から見ると均一な現像がおこなわれ、その結果、基板全体でみて線幅精度の良いマスクパターンが得られる。
【００１１】
本発明の現像方法は、基板表面にレジストが塗布されて、露光処理がされた基板を現像する方法において、
前記基板を水平に保持するための基板保持部に搬入する工程と、
次いで基板の有効領域の幅とほぼ同じかそれ以上の長さに亘って吐出口が形成された現像液の供給ノズルを、この供給ノズルから現像液を吐出させながら、前記吐出口の先端面が基板上の現像液と接触した状態で、前記基板の一端側から他端側に亘って移動させる工程と、
この供給ノズルに設けた第１の吐出口から現像液を吐出する工程と、
この第１の吐出口に対してノズルの進行方向に対して後方側に並列に形成された第２の吐出口から現像液を基板に吐出する工程と、
第１の吐出口と第２の吐出口との間に設けられた給気口から現像液の液面に気体を供給する工程と、を含み、
第１の吐出口から基板に吐出された現像液と、第２の吐出口から基板に吐出された現像液とが互いに干渉し合うことで攪拌されることを特徴とする。
【００１２】
【発明の実施の形態】
図１及び図２は本発明に係る現像装置の実施の形態を示す概略図である。この装置は、基板であるウェハＷの裏面中心部を吸引吸着し、略水平に保持する基板保持部をなすスピンチャック２を備え、このスピンチャック２は駆動部２０により回転及び昇降できるように構成されている。
【００１３】
ウェハＷがスピンチャック２に吸着保持された状態において、ウェハＷの側方を囲むようにしてカップ３が設けられており、カップ３は各々上下可能な外カップ３１と内カップ３２とからなる。内カップ３２は円筒の上部側が上方内側に傾斜し、上部側開口部が下部側開口部より狭くなるように形成されており、昇降部３０により外カップ３１が上昇すると、外カップ３１の移動範囲の一部において連動して昇降するように構成されている。
【００１４】
カップ３の下部側はスピンチャック２の周囲を囲む円板３３と、円板３３の周り全周に亘って凹部を形成し、底面に排液口３４が形成されている液受け部３５とにより構成されている。この液受け部３５の側面より僅かに内側に外カップ３１（及び内カップ３２）が収まっており、前記凹部とカップ３とによりウェハＷの上方レベル及び下方レベルに跨ってウェハＷの側方を囲っている。また、円板３３の周縁部には上端がウェハＷの裏面に近接する断面山形のリング体３６が設けられている。
【００１５】
続いてスピンチャック２に吸着保持されたウェハＷに処理液である現像液Ｄを供給するための供給ノズル４について説明する。この供給ノズル４は例えば図３に示すように、現像液Ｄが供給される通流室４４を内部に設けた細長い四角形状のノズル本体４１と、その下面長手方向に、基板の有効領域の幅とほぼ同じかそれ以上の長さの、例えばウェハＷの直径よりも長いスリット形状に設けられた吐出口４２である第１の吐出口４２ａおよび第２の吐出口４２ｂを供給ノズル４の移動方向において前後して並列に設けている。更に図４に示すように、吐出口４２ａと吐出口４２ｂは側方から見た軸線が互いに寄り合うように、つまり互いの吐出方向が寄り合うように供給ノズル４下面に対して各軸線が角度θ傾斜させて設けられており、夫々の吐出口４２の上部に設けられた流路４３である第１の流路４３ａおよび第２の流路４３ｂを介して通流室４４に接続される。第１の吐出口４２ａの先端面と第２の吐出口４２ｂの先端面との離間距離Ｌは、例えば１０ｍｍ〜２０ｍｍとされ、θは例えば１０度〜３０度とされる。流路４３は供給ノズル４の長さ方向に伸びるスリット形状であっても良いし、供給ノズル４の長さ方向に間隔をおいて配列された多数の孔でも良い。また、吐出口４２ａ、４２ｂの上方には内壁と接しないように僅かな隙間をもってガイドバー４５（４５ａ、４５ｂ）が夫々設けられている。
【００１６】
このような供給ノズル４は、第１の移動機構６によりカップ３の外側に設けられたガイドレール５に沿って、図２に示すカップ３の外側の待機位置（ガイドレール５の一端側の位置）からウエハＷの上方側を通って前記待機位置とウエハＷを挟んで対向する位置まで移動可能に設けられている。
【００１７】
つまりガイドレール５は、図２にも示すように例えば外カップ３１の一辺と平行になるようにＸ方向に延びるように設けられており、ガイドレール５の一端側に第１の移動機構６が位置している。第１の移動機構６はアーム部６１とベース部６２とにより構成されており、供給ノズル４をアーム部６１により吊下げ支持し、移動部であるベース部６２を介してガイドレール５に沿って移動できるようになっている。
【００１８】
前記ベース部６２は例えば図５に示すように、例えばボールネジ機構６３などにより構成される昇降機構６４を有しており、例えばモータなどの図示しない動力源からの駆動力によりアーム部６１をＺ方向へ移動（上下）させることができる。
【００１９】
また図２中５０はウエハＷにリンス液、例えば純水をウェハＷの中心部に供給してウエハＷの表面の現像液を洗い流すための洗浄ノズルであり、この洗浄ノズル５０は例えば第２の移動機構５１により、図２に示すカップ３の外側の待機位置（ガイドレール５の他端側の位置）からウエハＷの上方側を通って前記待機位置とウエハＷを挟んで対向する位置まで水平に移動可能に設けられている。
【００２０】
ここで図２において第１の移動機構６及び第２の移動機構５１が夫々示されている位置は既述の非作業時における供給ノズル４及び洗浄ノズル５０の待機位置であって、ここには例えば上下可動の板状体により構成された第１の移動機構６及び第２の移動機構５１の待機部５２，５３が設けられている。
【００２１】
これまで述べてきた駆動部２０、昇降部３０、第１の移動機構６及び第２の移動機構５１は夫々制御部７と接続されており、例えば駆動部２０によるスピンチャック２の昇降に応じて第１の移動機構６による処理液の供給を行うように、各部を連動させたコントロールを可能としている。またカップ３、第１の移動機構６及び第２の移動機構５１は箱状の筐体７１により囲まれた一ユニットとして形成されており、図示しない搬送アームによりウエハＷの受け渡しがなされる。
【００２２】
次に上述の現像装置を用いた現像処理工程について説明する。先ずスピンチャック２がカップ３の上方まで上昇し、既に前工程でレジストが塗布され、露光処理が施されたウエハＷが図示しない搬送アームからスピンチャック２に受け渡される。そしてウエハＷが図１中実線で示す所定の位置に来るようにスピンチャック２が下降する。なおこのとき外カップ３１及び内カップ３２は共に下降した状態である。
【００２３】
続いて第１の移動機構６がガイドレール５に沿って外カップ３１とウエハＷの周縁との間に対応する位置まで案内され、続いてその位置からウエハＷの周縁外側の待機位置まで下降する。このとき供給ノズル４はウエハＷに対して現像液の供給を行う高さにセットされる、例えば吐出口４２の先端面がウエハＷ表面から１ｍｍ程度高い位置である。
【００２４】
続いて図６（ａ）、（ｂ）に示すように、現像液Ｄの吐出を開始しながら供給ノズル４をウエハＷの一端側から供給ノズル４の吐出口４２の中心がウエハＷの中心上方を通過して他端側へ、例えば約５０ｍｍ／ｓｅｃの速度で水平方向に移動（図６(a),(b)では左から右への移動）させることにより、ウエハＷの表面に例えば１．２ｍｍの厚さの液膜を形成する。この際吐出口４２の先端は、ウエハＷ表面上に供給された現像液Ｄと接触する位置にあり、吐出口４２の先端をウエハ上の現像液Ｄと接触させた状態で供給ノズル４を水平方向に移動させることにより、この供給ノズル４の先端部によりウエハＷ上の現像液Ｄが押し広げられ、ウエハＷの表面全体に万遍なく現像液Ｄが液盛されることとなる。そして供給ノズル４の吐出口４２ａと吐出口４２ｂから現像液Ｄを向かい合う様に吐出することにより、図７に模式的に示すように、双方の流れが互いに強く干渉し合い、現像液Ｄが撹拌されながら液膜が形成されていく。
【００２５】
現像液Ｄの塗布終了後、図６(c)に示すように現像液ＤをウエハＷの表面に液盛したままの状態にして静止現像が行われる。そして第１の移動機構６は待機部５２へと戻り、この第１の移動機構６と入れ替わって待機部５３から第２の移動機構５１がウエハＷ側へと移動する。
【００２６】
続いて図６(d)に示すように、ウエハＷの中央上方に吐出部が位置するように洗浄ノズル５０を移動すると共にスピンチャック２を回転させ、洗浄ノズル５０から洗浄液Ｒ、例えば純水をウエハＷ中心部に供給して、ウエハＷの遠心力によりウエハＷの中心部から周縁部へ向かって純水で置換することにより現像液Ｄが洗い流される。このとき現像液Ｄと洗浄液Ｒは内リング３２を伝って下方側へと流れて液受け部３５へと貯溜され、これらの液は排液口３４から図示しない配管を通って排出される。その後このウエハＷは図６(e)に示すように、スピン乾燥などの工程を経て現像処理が終了する。
【００２７】
上述の実施の形態によれば、現像液Ｄに対する溶解速度が速い種類のレジストが塗布されたウェハＷ表面に現像液Ｄを液盛りする場合においても線幅の均一性の高いパターンが得られる。即ちこの種のレジストを用いると現像液Ｄとレジストが接触して直ちにレジストの溶解が始まるが、現像液Ｄが撹拌されながら液盛されていくため、レジストから溶け出した溶解成分は、この撹拌作用により現像液Ｄ中に拡散され、レジストに接する現像液Ｄ中の溶解成分の濃縮化が抑えられるので溶解成分の存在によりレジストの不溶解部位の溶解が加速される現象が抑制される。このため先に液盛された部位と後に液盛りされた部位との間でパターンの線幅が揃う。そしてウェハＷ上でパターン密度が部位によって異なっていても、現像液Ｄの撹拌により溶解成分は現像液Ｄ中に拡散するので、局所的な濃縮化が避けられ、均一な線幅が得られる。
【００２８】
また、前記の供給ノズル４において、現像液Ｄが流路４３から吐出口４２を通過する際、ガイドバー４５に当たるため、圧力損失が生じる。このため流路４３であるスリットの長手方向において中央部付近と端部付近とでの吐出量の偏りが生じ難く、流路４３の全体から均等に現像液Ｄが吐出されることにより、現像液をウェハＷの表面に万遍なく供給できる。また、前記圧力損失が生じることにより、流路４３から吐出される現像液Ｄの流速が遅くなる。このため、供給ノズル４から滴下した現像液ＤがウェハＷの表面に衝突する際の衝撃を和らげることができる。
【００２９】
さらに供給ノズル４の吐出口４２ａと吐出口４２ｂの吐出方向を互いに寄り合う構成とするためには、上述の例に限らず例えば図８に示すように例えば供給ノズルの側面からみて外側になる壁面が下方向に、内側になる壁面が供給ノズル４下面に対して傾斜させた構成にしても良いし、あるいは図９に示すように例えば供給ノズルの側面からみて内側の壁面の先端部が、外側の壁面の先端部よりも高い位置になるようにしても良い。更にまた図８、図９に同時に示すように吐出口４２ａ、吐出口４２ｂの間に供給ノズル４の長さ方向に配列された多数の給気口４６あるいは供給ノズル４の長さ方向に伸びるスリット形状の給気口４６を形成し、吐出口４２からウェハＷの表面に液盛しながら、給気口４６を介して気体例えば窒素ガスを、液盛した現像液Ｄの液表面に吹き掛けるようにしても良い。なお給気口４６はウェハＷの表面から例えば２ｍｍの高さに位置しており、給気口４６から吹き出した気体は、給気口４６と現像液Ｄとの間の隙間を介して、供給ノズル４の両面側から外側へ逃げることができる構成となっている。このように液盛中に気体を現像液Ｄの液面に吹き付けることにより、液面に生じる波紋の作用が加わって、より一層現像液Ｄが撹拌される。
【００３０】
また他の実施の形態として図１０に示すように、吐出口４２を下方向に向かうようにし、吐出口４２ａの先端面の高さと吐出口４２ｂの先端面の高さとを異ならせても良く、例えば供給ノズル４の進行方向に対して後方側の吐出口４２ｂの先端面を低くするようにしても良い。このような構成によれば吐出口４２ａから吐出されてウェハＷ表面に向かう流れと、吐出口４２ａよりも低い位置に設けられた吐出口４２ｂから吐出され、ウェハＷ表面に跳ね返って下から上に向かう流れとが干渉し合い、現像液Ｄが撹拌されながら液盛することができる。このため上述の場合と同様の作用効果が得られる。
【００３１】
更に供給ノズル４は第１の吐出口４２ａおよび第２の吐出口４２ｂの開口面積を異ならせるように構成して、互いの流量を変えるようにしても良いし、第１の吐出口４２ａおよび第２の吐出口４２ｂに夫々対応して流量調節用バルブを設け、これにより互いの流量を変えるようにしても良い。このような構成によれば、第１の吐出口４２ａ、第２の吐出口４２ｂの一方、例えば第１の吐出口４２ａに対して主に現像液Ｄの液盛の役割を持たせ、他方例えば第２の吐出口４２ｂに対して主にレジスト溶解成分が溶け出した現像液Ｄを撹拌させる役割を持たせて、液盛用のノズルおよび撹拌用のノズルとして構成し、役割を分担させることができる。この場合、撹拌用のノズルによる撹拌作用は、当該ノズルから吐出した現像液Ｄの流れの一部が液盛用のノズルから吐出した現像液Ｄの流れと干渉して撹拌作用の一部が得られるものであっても良い。そして第１の吐出口４２ａ、第２の吐出口４２ｂの適切な開口面積あるいは流量の比率および適切な第１の吐出口４２ａ、第２の吐出口４２ｂの相互離間距離についてはレジストの種類に応じて予め試験を行って決めることが好ましい。図１１および図１２はこのような実施の形態を具体的にした例であり、図１１の例では第２の吐出口４２ｂに連通する流路４３ａよりも広くし、かつガイドバー４５ｂをガイドバー４５ａよりも大きくしている。
【００３２】
また図１２に示す例では、吐出口４３に開度調節可能なバルブ７２を介して配管８を夫々接続する構成としている。この場合、バルブ７２の開度により、各吐出口４２から吐出する現像液Ｄ流量を調節するようにしている。また更に本発明においては、液吐出口４２はスリット形状に限られず、多数の液吐出口が間隔をおいて配列されているものであっても良い。
【００３３】
以上において、上述の各図に記載した構成を互いに組み合わせても良く、例えば第１の吐出口４２ａの吐出方向と第２の吐出口４２ｂの吐出方向とが寄り合うように構成し、かつ両者の先端面の高さを変えるように、例えば第１の吐出口４２ａの先端面を高くするように構成しても良いし、更にはこの構成に加えて両者の流量を変えるようにしても良い。
【００３４】
次に上述の現像装置を例えば現像ユニットに組み込んだ塗布・現像装置の一例について図１３及び図１４を参照しながら説明する。図１３及び図１４中、９１は例えば２５枚のウエハＷが収納されたカセットＣを搬入出するためのカセットステーションであり、このカセットステーション９１には前記カセットＣを載置する載置部９１ａと、カセットＣからウエハＷを取り出すための受け渡し手段９２とが設けられている。カセットステーション９１の奥側には、例えばカセットステーション９１から奥を見て例えば右側には塗布・現像系のユニットＵ１が、左側、手前側、奥側には加熱・冷却系のユニット等を多段に積み重ねた棚ユニットＵ２，Ｕ３，Ｕ４が夫々配置されていると共に、塗布・現像系ユニットＵ１と棚ユニットＵ２，Ｕ３，Ｕ４との間でウエハＷの受け渡しを行うための搬送アームＭＡが設けられている。但し図１３では便宜上受け渡し手段９２、ユニットＵ２及び搬送アームＭＡは描いていない。
【００３５】
塗布・現像系のユニットＵ１においては、例えば上段には２個の上述の現像装置を備えた現像ユニット９３が、下段には２個の塗布装置を備えた塗布ユニット９４が設けられている。棚ユニットＵ２,Ｕ３,Ｕ４においては、加熱ユニットや冷却ユニットのほか、ウエハの受け渡しユニットや疎水化処理ユニット等が上下に割り当てされている。
【００３６】
この搬送アームＭＡや塗布・現像系ユニットＵ１等が設けられている部分を処理ブロックと呼ぶことにすると、当該処理ブロックはインタ−フェイスユニット９５を介して露光ブロック９６と接続されている。インタ−フェイスユニット９５はウエハＷの受け渡し手段９７により前記処理ブロックと露光ブロック９６との間でウエハＷの受け渡しを行うものである。
【００３７】
この装置のウエハの流れについて説明すると、先ず外部からウエハＷが収納されたウエハカセットＣが載置部９１ａに載置され、受け渡し手段９２によりカセットＣ内からウエハＷが取り出され、既述の加熱・冷却ユニットＵ３の棚の一つである受け渡し台を介して搬送アームＭＡに受け渡される。次いでユニットＵ３の一の棚の処理部内にて疎水化処理が行われた後、塗布ユニット９４にてレジスト液が塗布され、レジスト膜が形成される。レジスト膜が塗布されたウエハＷは加熱ユニットで加熱された後、ユニットＵ４のインターフェースユニット９５の受け渡し手段９７と受渡し可能な冷却ユニットに搬送され、処理後にインタ−フェイスユニット９５，受け渡し手段９７を介して露光装置９６に送られ、ここでパタ−ンに対応するマスクを介して露光が行われる。露光処理後のウエハを受け渡し手段９７で受け取り、ユニットＵ４の受け渡しユニットを介して処理ブロックのウエハ搬送アームＭＡに渡す。
【００３８】
この後ウエハＷは加熱ユニットで所定温度に加熱され、しかる後冷却ユニットで所定温度に冷却され、続いて図１、図２で示した装置を備えた現像ユニット９３に送られて現像処理され、レジストマスクが形成される。しかる後ウエハＷは載置部９１ａ上のカセットＣ内に戻される。また本発明は、被処理基板に半導体ウエハ以外の基板、例えばＬＣＤ基板、フォトマスク用レクチル基板の加熱処理にも適用できる。
【００３９】
【発明の効果】
以上のように本発明によれば、露光処理が施された基板に対して、基板の一端側から他端側へ向けて供給ノズルを移動させながら現像液の液盛を行う際、２つの吐出口から吐出する現像液の流れが互いに干渉することにより基板表面上の現像液が撹拌されるので、現像液に対して溶解速度の速いレジストを用いても線幅の均一性が高いマスクパターンを得ることができる。
【図面の簡単な説明】
【図１】本発明に係る現像装置の実施の形態を表す断面図である。
【図２】本発明に係る現像装置の実施の形態を表す平面図である。
【図３】本発明に係る現像装置の現像液供給ノズルを示す斜視図である。
【図４】本発明に係る現像装置の現像液供給ノズルを示す斜視図である。
【図５】本発明に係る現像装置の現像液供給部を示す側面図である。
【図６】本発明に係る現像装置の現像処理を示す工程図である。
【図７】本発明に係る現像装置の処理液供給ノズルの作用を示す側面図である。
【図８】本発明に係る現像装置の他の実施の形態の供給ノズルを示す側面図である。
【図９】本発明に係る現像装置の他の実施の形態の供給ノズルを示す側面図である。
【図１０】本発明に係る現像装置の他の実施の形態の供給ノズルを示す側面図である。
【図１１】本発明に係る現像装置の他の実施の形態の供給ノズルを示す側面図である。
【図１２】本発明に係る現像装置の他の実施の形態の供給ノズルを示す側面図である。
【図１３】前記現像装置を組み込んだ塗布・現像装置の一例を示す斜視図である。
【図１４】前記現像装置を組み込んだ塗布・現像装置の一例を示す平面図である。
【図１５】従来技術に係る現像液の供給方法を示す説明図である。
【符号の説明】
Ｗ    ウエハ
Ｄ    現像液
２    スピンチャック
３    カップ
３１  外カップ
３２  内カップ
４    供給ノズル
４２  吐出口
４３  吐出孔
４５  ガイドバー
５    ガイドレール
６    第１の移動機構
７２  バルブ
８    配管
【図１】
0003990885.tif 000002
【図２】
0003990885.tif 000003
【図３】
0003990885.tif 000004
【図４】
0003990885.tif 000005
【図５】
0003990885.tif 000006
【図６】
0003990885.tif 000007
【図７】
0003990885.tif 000008
【図８】
0003990885.tif 000009
【図９】
0003990885.tif 000010
【図１０】
0003990885.tif 000011
【図１１】
0003990885.tif 000012
【図１２】
0003990885.tif 000013
【図１３】
0003990885.tif 000014
【図１４】
0003990885.tif 000015
【図１５】
0003990885.tif 000016